(57)【要約】【課題】原稿を操作側からでもセットすることができるとともに、原稿のセット状態を操作側から目視で確認することができる原稿読取装置を提供すること。【解決手段】載置された原稿Ｇの幅方向を揃える一対のサイドカーソル２３を備えた原稿給紙部１４と、該原稿給紙部１４から原稿Ｇを１枚ずつ搬送する搬送ローラ１７，１８と、該搬送ローラ１７，１８によって搬送される原稿Ｇを読み取る原稿読取部と、読み取られた原稿Ｇが排出される原稿排出部２０を有する原稿読取装置３において、前記原稿給紙部１４の操作側の壁面２６に、原稿給紙部１４に載置された原稿Ｇを操作側から確認するための切欠き２６ａを形成する。又、使用者側のサイドカーソル２３に透明窓２７を形成する。【選択図】図２
2008129095.tif 000002
【特許請求の範囲】
【請求項１】
載置された原稿の幅方向を揃える一対のサイドカーソルを備えた原稿給紙部と、該原稿給紙部から原稿を１枚ずつ搬送する搬送ローラと、該搬送ローラによって搬送される原稿を読み取る原稿読取部と、読み取られた原稿が排出される原稿排出部を有する原稿読取装置において、
前記原稿給紙部の操作側の壁面に、原稿給紙部に載置された原稿を操作側から確認するための切欠きを形成したことを特徴とする原稿読取装置。
【請求項２】
載置された原稿の幅方向を揃える一対のサイドカーソルを備えた原稿給紙部と、該原稿給紙部から原稿を１枚ずつ搬送する搬送ローラと、該搬送ローラによって搬送される原稿を読み取る原稿読取部と、読み取られた原稿が排出される原稿排出部を有する原稿読取装置において、
前記一対のサイドカーソルの少なくとも一方を水平に倒すことができるよう構成したことを特徴とする原稿読取装置。
【請求項３】
載置された原稿の幅方向を揃える一対のサイドカーソルを備えた原稿給紙部と、該原稿給紙部から原稿を１枚ずつ搬送する搬送ローラと、該搬送ローラによって搬送される原稿を読み取る原稿読取部と、読み取られた原稿が排出される原稿排出部を有する原稿読取装置において、
前記原稿給紙部の操作側の壁面に、原稿給紙部に載置された原稿を操作側から確認するための切欠きを形成するとともに、前記一対のサイドカーソルの少なくとも一方を水平に倒すことができるよう構成したことを特徴とする原稿読取装置。
【請求項４】
前記一対のカーソルの使用者側の一方が使用者側に倒れるよう構成したことを特徴とする請求項２又は３記載の原稿読取装置。
【請求項５】
前記一対のサイドカーソルの少なくとも使用者側の一方に透明窓又は開口部を形成したことを特徴とする請求項１〜４の何れかに記載の原稿読取装置。
【請求項６】
請求項１〜５の何れかに記載の原稿読取装置を本体上部に備えたことを特徴とする画像形成装置。
【発明の詳細な説明】
【技術分野】
【０００１】
本発明は、原稿を１枚ずつ搬送しながら読み取る原稿読取装置とこれを備えた画像形成装置に関するものである。
【背景技術】
【０００２】
複写機等の画像形成装置の上部には、原稿を１枚ずつ搬送しながら自動的に読み取る原稿読取装置が設置されている。この原稿読取装置は、原稿が給紙される原稿給紙部と、該原稿給紙部から原稿を１枚ずつ搬送する搬送ローラと、該搬送ローラによって搬送される原稿を読み取る原稿読取部と、読み取られた原稿が排出される原稿排出部を含んで構成されている。
【０００３】
ところで、この種の原稿読取装置に関する提案が今までに種々なされている。例えば、特許文献１には、原稿セット部における原稿送り方向前端部の上側部分に原稿視認用の開口部を形成し、原稿がセットされた状態でも上方から原稿の前端部を目視によって確認することができるようにした提案がなされている。
【０００４】
又、特許文献２には、給紙トレイと排紙トレイとが上下に配置された原稿読取装置において、上段の給紙トレイの一部に、下段の排紙トレイを視認することができる箇所を設け、この箇所を透明とした提案がなされている。
【０００５】
更に、特許文献３には、装置本体側のコンタクトガラス面に原稿を押さえ付けるための圧板の本体に圧板部分をヒンジ結合し、この圧板部分を圧板本体に伏せたままでも、圧板をヒンジ部分を支点として回動させて開放し、原稿セット基準位置近傍にある原稿部分が視認可能となるよう、その部分を開放する提案がなされている。
【特許文献１】実開平５−０４１２５７号公報
【特許文献２】特許第３６２２０４９号公報
【特許文献３】特開平７−２１９０７３号公報
【発明の開示】
【発明が解決しようとする課題】
【０００６】
しかしながら、特許文献１〜３において提案された構成では、原稿が正確にセットされたか否かを確認することはできるが、原稿読取装置に備えられているカーソルで原稿を幅寄せして揃える場合に原稿がよじれたり、原稿が若干斜めにずれてしまう場合があり、原稿が正しくセットされているか否かを最終的には目視にて確認する必要があった。
【０００７】
又、背の低い使用者や車椅子を使用している使用者は、原稿給紙部への原稿のセット状態を上方から確認することができず、原稿給紙部に原稿を手前側から水平方向にセットすることができないという問題があった。
【０００８】
本発明は上記問題に鑑みてなされたもので、その目的とする処は、原稿を操作側からでもセットすることができるとともに、原稿のセット状態を操作側から目視で確認することができる原稿読取装置及びこれを備えた画像形成装置を提供することにある。
【課題を解決するための手段】
【０００９】
上記目的を達成するため、請求項１記載の発明は、載置された原稿の幅方向を揃える一対のサイドカーソルを備えた原稿給紙部と、該原稿給紙部から原稿を１枚ずつ搬送する搬送ローラと、該搬送ローラによって搬送される原稿を読み取る原稿読取部と、読み取られた原稿が排出される原稿排出部を有する原稿読取装置において、前記原稿給紙部の操作側の壁面に、原稿給紙部に載置された原稿を操作側から確認するための切欠きを形成したことを特徴とする。
【００１０】
請求項２記載の発明は、載置された原稿の幅方向を揃える一対のサイドカーソルを備えた原稿給紙部と、該原稿給紙部から原稿を１枚ずつ搬送する搬送ローラと、該搬送ローラによって搬送される原稿を読み取る原稿読取部と、読み取られた原稿が排出される原稿排出部を有する原稿読取装置において、前記一対のサイドカーソルの少なくとも一方を水平に倒すことができるよう構成したことを特徴とする。
【００１１】
請求項３記載の発明は、載置された原稿の幅方向を揃える一対のサイドカーソルを備えた原稿給紙部と、該原稿給紙部から原稿を１枚ずつ搬送する搬送ローラと、該搬送ローラによって搬送される原稿を読み取る原稿読取部と、読み取られた原稿が排出される原稿排出部を有する原稿読取装置において、前記原稿給紙部の操作側の壁面に、原稿給紙部に載置された原稿を操作側から確認するための切欠きを形成するとともに、前記一対のサイドカーソルの少なくとも一方を水平に倒すことができるよう構成したことを特徴とする。
【００１２】
請求項４記載の発明は、請求項２又は３記載の発明において、前記一対のカーソルの使用者側の一方が使用者側に倒れるよう構成したことを特徴とする。
【００１３】
請求項５記載の発明は、請求項１〜４の何れかに記載の発明において、前記一対のサイドカーソルの少なくとも使用者側の一方に透明窓又は開口部を形成したことを特徴とする。
【００１４】
請求項６記載の発明は、請求項１〜５の何れかに記載の原稿読取装置を本体上部に備えて画像形成装置を構成したことを特徴とする。
【発明の効果】
【００１５】
請求項１記載の発明によれば、背の低い使用者や車椅子を使用している使用者であっても、原稿給紙部の操作側の壁面に形成された切欠きを介して原稿のセット状態を操作側から目視で確認することができる。
【００１６】
請求項２及び４記載の発明によれば、原稿給紙部に設けられた一対のカーソルの使用者側の一方を使用者側に倒すことによって、原稿を操作側から水平方向にセットすることができる。
【００１７】
請求項３記載の発明によれば、背の低い使用者や車椅子を使用している使用者であっても、原稿給紙部に設けられた一対のカーソルの使用者側の一方を使用者側に倒すことによって、原稿を操作側から水平方向にセットすることができるとともに、そのセットされた原稿を原稿給紙部の操作側の壁面に形成された切欠きを介して操作側から目視で確認することができる。
【００１８】
請求項５記載の発明によれば、原稿給紙部への原稿のセット状態を、使用者側のカーソルに形成された透明窓又は開口部を介して真横からでも目視にて確認することができる。
【００１９】
請求項６記載の発明によれば、画像形成装置本体の上部に設置された原稿読取装置の原稿給紙部に原稿を操作側からでもセットすることができるとともに、原稿のセット状態を操作側から目視で確認することができる。
【発明を実施するための最良の形態】
【００２０】
以下に本発明の実施の形態を添付図面に基づいて説明する。
【００２１】
図１は本発明に係る画像形成装置の斜視図であり、図示の画像形成装置１の本体２の上部には本発明に係る原稿読取装置３が設置されており、その手前側（前面側）には操作パネル４が配置されている。
【００２２】
又、画像形成装置本体２の右側面の上部には手差しトレイ５が設けられており、その下方の開口部は右カバー６によって覆われている。尚、手差しトレイ５には、これにセットされる用紙のサイズに応じて出し入れ可能な補助トレイ７と、セットされた用紙の幅方向を揃えるためのスライド可能な一対のサイドカーソル８が設けられている。
【００２３】
他方、画像形成装置本体２の右側面の上部には排紙トレイ９が設けられており、画像形成装置本体２の前面には、手前側に引き出すことができる複数の給紙カセット１０，１１，１２，１３が多段に亘って設けられている。
【００２４】
次に、本発明に係る前記原稿読取装置３の実施の形態を添付図面に基づいて説明する。
【００２５】
＜実施の形態１＞
図２は本発明の実施の形態１に係る原稿読取装置要部の正断面図であり、図示の原稿読取装置３には、原稿Ｇがセットされる原稿給紙部１４が備えられ、該原稿給紙部１４から原稿搬送方向には、原稿給紙部１４にセットされた原稿Ｇを１枚ずつ送り出す給紙ローラ１５と分離ローラ対１６、原稿Ｇを搬送する搬送ローラ対１７、原稿Ｇを搬送ローラ１８との間で挟持してその表裏と搬送方向を逆転させる搬送ドラム１９と、該搬送ドラム１９から分離された原稿Ｇを原稿給紙部１４の下方に配置された原稿排出部２０へと送り出し
て排出する排出ローラ対２１，２２が設けられている。尚、原稿給紙部１４には、セットされた原稿Ｇの幅方向を揃えるための一対のサイドカーソル２３（図２には一方のみ図示）が図２の紙面垂直方向にスライド可能に設けられている。
【００２６】
又、前記搬送ドラム１９の下方には原稿Ｇを案内するガイド部材２４が配置されており、原稿Ｇはこのガイド部材２４を通過する際に画像形成装置本体２に内蔵された不図示の光学走査系によってその表面の画像が読み取られる。又、原稿Ｇは、その裏面の画像がガイド部材２４の下流側に設けられたコンタクトイメージセンサ（ＣＩＳ）２５によって読み取られる。このようにして画像が読み取られた原稿Ｇは、前述のように排紙ローラ対２１，２２によって原稿排出部２０へと排出され、１枚の原稿Ｇに対する画像読取動作が終了し、以後、原稿Ｇの枚数分だけ同様の画像読取動作が繰り返される。
【００２７】
而して、本実施の形態では、原稿給紙部１４の操作側の壁面２６に切欠き２６ａが形成されており、原稿給紙部１４に設けられた前記一対のサイドカーソル２３のうち、使用者側（手前側）のサイドカーソル２３に透明窓２７が形成されている。
【００２８】
従って、本実施の形態によれば、背の低い使用者や車椅子を使用している使用者であっても、原稿給紙部１４の操作側の壁面２６に形成された切欠き２６ａを介して原稿Ｇのセット状態を操作側から目視で確認することができる。特に、本実施の形態では、使用者側（手前側）のサイドカーソル２３に透明窓２３ａを形成したため、この透明窓２３ａを介して原稿給紙部１４への原稿Ｇのセット状態を真横からでも目視にて確認することができる。
【００２９】
＜実施の形態２＞
次に、本発明に係る原稿読取装置３の実施の形態２を図３〜図１０に基づいて説明する。
【００３０】
図３は本実施の形態に係る原稿読取装置の原稿給紙部の斜視図、図４は同原稿給紙部の部分正面図、図５は同原稿給紙部のサイドカーソルの斜視図、図６は操作側のサイドカーソルの垂直部の正面図、図７は図６の矢視Ａ方向の図、図８は図７のＢ−Ｂ線断面図、図９は操作側のサイドカーソルの水平部の平面図、図１０は図９のＣ−Ｃ線断面図である。
【００３１】
本実施の形態は、原稿読取装置３の原稿給紙部１４に設けられた一対のサイドカーソル２３のうち、使用者側のサイドカーソル２３を使用者側（手前側）に倒れるよう構成するとともに、該サイドカーソル２３に２つの矩形の開口部２８を形成したことを特徴としており、他の構成は前記実施の形態１のそれと同じである。
【００３２】
ここで、使用者側のサイドカーソル２３の構成の詳細を図５〜図１０に基づいて説明する。
【００３３】
使用者側のサイドカーソル２３は、水平部２３Ａと、その下端部が水平部２３Ａに回動可能に連結された垂直部２３Ｂとで構成されており、垂直部２３Ｂは、原稿読取時には図４及び図５に示すように垂直に起立し、原稿Ｇをセットする際には図３に示すように使用者側（手前側）に倒すことができる。
【００３４】
サイドカーソル２３の垂直部２３Ｂには３本の脚部２３ａ，２３ｂ，２３ｃが形成されており、これらの脚部２３ａ〜２３ｃの間に前記開口部２８が形成されている。又、図８に示すように、両端の脚部２３ａ，２３ｃの下部内面には円穴上の嵌合溝２９が形成されており、中央の脚部２３ｂの一方の面には同じく円穴状の嵌合溝３０が形成されている。ここで、中央の脚部２３ｂの嵌合溝３０は、両端の脚部２３ａ，２３ｃに形成された嵌合溝２９の中心同士を結ぶ線（垂直部２３Ｂの回動中心）に対して厚さ方向（図８の紙面垂直方向）に所定量（図１０に示すεと同量）だけオフセットした位置に形成されている。
【００３５】
他方、サイドカーソル２３の水平部２３Ａの長辺側の一端には、図９に示すように、垂直部２３Ｂの脚部２３ａ，２３ｂ，２３ｃ間の距離（開口部２８の幅）と略同幅の２つの凸部２３ｄ，２３ｅが一体に形成されており、各凸部２３ｄ，２３ｅの両側には、垂直部２３Ｂの脚部２３ａ〜２３ｃが嵌合するための凹部２３ｆ，２３ｇ，２３ｈが形成されている。そして、凸部２３ｄ，２３ｅの各外端面には円柱状の嵌合突起３１が形成され、一方の凸部２３ｅの内端面には同じく円柱状の嵌合突起３２が形成されている。ここで、嵌合突起３２は、両凸部２３ｄ，２３ｅにそれぞれ形成された嵌合突起３１の軸中心同士を結ぶ線（垂直部２３Ｂの回動中心）に対して厚さ方向に図１０のεだけオフセットした位置に形成されている。
【００３６】
而して、サイドカーソル２３は、垂直部２３Ｂの脚部２３ａ，２３ｂ，２３ｃを水平部２３Ａの凹部２３ｆ，２３ｇ、２３ｈにそれぞれ嵌め込むとともに、垂直部２３Ｂの脚部２３ａ〜２３ｃに形成された嵌合溝２９，３０に垂直部２３Ａの嵌合突起３１，３２をそれぞれ嵌合させることによって組み付けられ、垂直部２３Ｂは水平部２３Ａに嵌合溝２９と嵌合突起３１との嵌合部を中心として回動可能に連結される。
【００３７】
以上のように構成された原稿給紙部１４を備えた原稿読取装置３において、例えば背の低い使用者や車椅子を使用している使用者が原稿給紙部１４に原稿Ｇをセットする場合には、図３に示すように、使用者側のサイドカーソル２３の垂直部２３Ｂを手前側に倒す。すると、使用者は、原稿Ｇを操作側から水平方向にセットすることができる。
【００３８】
そして、上述のように原稿給紙部１４に原稿Ｇをセットすると、使用者側のサイドカーソル２３の垂直部２３Ｂを図３の矢印方向に起こしてこれを図４及び図５に示すように垂直に起立させる。このとき、垂直部２３Ｂの中央の脚部２３ｂに形成された嵌合溝３０に水平部２３Ａの凸部２３ｅに形成された嵌合突起３２が嵌合するが、前述のようにこれらの嵌合溝３０と嵌合突起３２は垂直部２３Ｂの回動中心から図１０に示すεだけオフセットした位置に形成されているため、垂直部２３Ｂが垂直状態に保持され、その倒れが防がれる。
【００３９】
上述のようにサイドカーソル２３の垂直部２３Ｂが垂直に起立すると、一対のサイドカーソル２３を同時にスライドさせて原稿Ｇの幅方向を揃える。このとき、図４に示すように、原稿給紙部１４への原稿Ｇのセット状態を、使用者側のカーソル２３の垂直部２３Ｂに形成された２つの開口部２８を介して真横から目視にて確認することができる。
【００４０】
以上のように、本実施の形態によれば、原稿Ｇを操作側からでもセットすることができるとともに、原稿Ｇのセット状態を操作側から目視で確認することができるという効果が得られる。
【図面の簡単な説明】
【００４１】
【図１】本発明に係る画像形成装置の斜視図である。
【図２】本発明の実施の形態１に係る原稿読取装置要部の正断面図である。
【図３】本発明の実施の形態２に係る原稿読取装置の原稿給紙部の斜視図である。
【図４】本発明の実施の形態２に係る原稿読取装置の原稿給紙部の部分正面図である。
【図５】本発明の実施の形態２に係る原稿読取装置のサイドカーソルの斜視図である。
【図６】本発明の実施の形態２に係る原稿読取装置の操作側のサイドカーソルの垂直部の正面図である。
【図７】図６の矢視Ａ方向の図である。
【図８】図７のＢ−Ｂ線断面図である。
【図９】本発明の実施の形態２に係る原稿読取装置の操作側のサイドカーソルの水平部の平面図である。
【図１０】図９のＣ−Ｃ線断面図である。
【符号の説明】
【００４２】
１              画像形成装置
２              画像形成装置本体
３              原稿読取装置
４              操作パネル
５              手差しトレイ
６              右カバー
７              補助トレイ
８              サイドカーソル
９              排紙トレイ
１０〜１３      給紙カセット
１４            原稿給紙部
１５            給紙ローラ
１６            分離ローラ対
１７            搬送ローラ対
１８            搬送ローラ
１９            搬送ドラム
２０            原稿排出部
２１，２２      排出ローラ対
２３            サイドカーソル
２３Ａ          サイドカーソルの水平部
２３Ｂ          サイドカーソルの垂直部
２３ａ〜２３ｃ  サイドカーソルの脚部
２３ｄ，２３ｅ  サイドカーソルの凸部
２３ｆ〜２３ｈ  サイドカーソルの凹部
２４            ガイド部材
２５            コンタクトイメージセンサ
２６            原稿給紙部の操作側の壁面
２６ａ          壁面の切欠き
２７            サイドカーソルの透明窓
２８            サイドカーソルの開口部
２９，３０      嵌合溝
３１，３２      嵌合突起
Ｇ              原稿
【図１】
2008129095.tif 000003
【図２】
2008129095.tif 000004
【図３】
2008129095.tif 000005
【図４】
2008129095.tif 000006
【図５】
2008129095.tif 000007
【図６】
2008129095.tif 000008
【図７】
2008129095.tif 000009
【図８】
2008129095.tif 000010
【図９】
2008129095.tif 000011
【図１０】
2008129095.tif 000012